(57)【特許請求の範囲】
【請求項１】
送信フレームによって通信する通信装置であって、
前記送信フレームのダウンリンクサブフレームは、
複数のフェムト基地局のうちの第１フェムト基地局にのみ割り当てられて該第１フェムト基地局が複数の端末のうちの少なくとも１つの第１端末とダウンリンク通信を行うときに用いられる第１区間、及び前記複数のフェムト基地局のうちの第２フェムト基地局にのみ割り当てられて該第２フェムト基地局が前記複数の端末のうちの少なくとも１つの第２端末とダウンリンク通信を行うときに用いられる第２区間を含むダウンリンク調整ゾーンと、
前記複数のフェムト基地局が共有無線リソースを用いて前記複数の端末のうちの特定端末とダウンリンク通信を行うダウンリンク共有ゾーンと、を含むことを特徴とする通信装置。
【請求項２】
前記特定端末は、同時にダウンリンク通信を行うことができるか否かによって、前記複数の端末のうちから選択されることを特徴とする請求項１に記載の通信装置。
【請求項３】
前記特定端末は、前記複数の端末の干渉チャネルの状態、前記複数の端末の分布、前記複数の端末の移動性、及び前記複数の端末の使用もしくは要求されるリソース量のうちの少なくとも１つに基づいて前記複数の端末のうちから選択されることを特徴とする請求項１に記載の通信装置。
【請求項４】
前記ダウンリンク調整ゾーンのための無線リソース及び前記ダウンリンク共有ゾーンのための共有無線リソースは、前記複数の端末の分布、又は前記複数の端末の使用もしくは要求されるリソース量に基づいて決定されることを特徴とする請求項１に記載の通信装置。
【請求項５】
前記ダウンリンク調整ゾーンで前記ダウンリンク通信を行う少なくとも１つの端末は、前記複数の端末のうちの前記特定端末を除く少なくとも１つの残りの端末であることを特徴とする請求項１に記載の通信装置。
【請求項６】
前記ダウンリンク調整ゾーンにおいて、前記複数のフェムト基地局は、無線リソースを直交的に用いてダウンリンク通信を行うことを特徴とする請求項１に記載の通信装置。
【請求項７】
前記ダウンリンク調整ゾーンのための無線リソース及び前記ダウンリンク共有ゾーンのための共有無線リソースは、前記複数のフェムト基地局を管理する制御装置によって決定されることを特徴とする請求項１に記載の通信装置。
【請求項８】
前記特定端末は、前記複数のフェムト基地局を管理する制御装置によって選択されることを特徴とする請求項１に記載の通信装置。
【請求項９】
前記ダウンリンク共有ゾーンにおいて、前記複数のフェムト基地局は、送信電力制御又は干渉制御によって共有無線リソースを用いてダウンリンク通信を行うことを特徴とする請求項１に記載の通信装置。
【請求項１０】
前記ダウンリンク共有ゾーンにおいて、前記複数のフェムト基地局は、多重アンテナ送信技術を用いてダウンリンク通信を行うことを特徴とする請求項１に記載の通信装置。
【請求項１１】
前記複数の各フェムト基地局は、前記ダウンリンク調整ゾーンで用いられる無線リソースに関する情報、前記ダウンリンク共有ゾーンで用いられる共有無線リソースに関する情報、及び前記ダウンリンク共有ゾーンで適用される送信電力制御又は干渉制御に関する情報のうちの少なくとも１つを前記複数の端末に送信することを特徴とする請求項１に記載の通信装置。
【請求項１２】
前記送信フレームのアップリンクサブフレームは、
前記第１フェムト基地局にのみ割り当てられて該第１フェムト基地局が前記少なくとも１つの第１端末とアップリンク通信を行うときに用いられる第３区間、及び前記第２フェムト基地局にのみ割り当てられて該第２フェムト基地局が前記少なくとも１つの第２端末とアップリンク通信を行うときに用いられる第４区間を含むアップリンク調整ゾーンと、
前記複数のフェムト基地局が共有無線リソースを用いて前記複数の端末のうちの特定端末とアップリンク通信を行うアップリンク共有ゾーンと、を含むことを特徴とする請求項１に記載の通信装置。
【請求項１３】
前記複数のフェムト基地局は、同一周波数リソースを用いることを特徴とする請求項１に記載の通信装置。
【請求項１４】
複数のフェムト基地局と複数の端末との間の通信に用いる制御装置であって、
前記通信はダウンリンク調整ゾーン及びダウンリンク共有ゾーンを含むダウンリンクサブフレームを有する送信フレームを用いて行われ、
同時にダウンリンク通信を行うことができるか否かによって、複数の端末のうちの特定端末を選択する端末選択部と、
前記ダウンリンク調整ゾーンで用いられる複数の各フェムト基地局のための無線リソース、及び前記ダウンリンク共有ゾーンで用いられる共有無線リソースを決定するリソース決定部と、を有し、
前記ダウンリンク調整ゾーンは、前記複数のフェムト基地局のうちの第１フェムト基地局にのみ割り当てられて該第１フェムト基地局が前記複数の端末のうちの少なくとも１つの第１端末とダウンリンク通信を行うときに用いられる第１区間、及び前記複数のフェムト基地局のうちの第２フェムト基地局にのみ割り当てられて該第２フェムト基地局が前記複数の端末のうちの少なくとも１つの第２端末とダウンリンク通信を行うときに用いられる第２区間を含み、
前記ダウンリンク共有ゾーンは、前記複数のフェムト基地局が前記共有無線リソースを用いて前記複数の端末のうちの前記特定端末とダウンリンク通信を行うことを特徴とする制御装置。
【請求項１５】
前記ダウンリンク調整ゾーンで用いられる前記複数の各フェムト基地局のための無線リソース、及び前記共有無線リソースに基づいて前記ダウンリンクサブフレームを設定するフレーム設定部を更に有することを特徴とする請求項１４に記載の制御装置。
【請求項１６】
前記複数のフェムト基地局に提供される前記設定されたダウンリンクサブフレームに関する情報を生成する情報生成部を更に有し、
前記設定されたダウンリンクサブフレームに関する情報は、前記ダウンリンク調整ゾーンの区間情報、前記ダウンリンク共有ゾーンの区間情報、前記少なくとも１つの端末に割り当てられた無線リソースに関する情報、前記共有無線リソースから前記特定端末に割り当てられた無線リソースに関する情報、及び前記特定端末に適用される送信電力制御又は干渉制御に関する情報のうちの少なくとも１つを含むことを特徴とする請求項１５に記載の制御装置。
【請求項１７】
前記端末選択部は、前記複数の端末の干渉チャネルの状態、前記複数の端末の分布、前記複数の端末の移動性、及び前記複数の端末の使用もしくは要求されるリソース量のうちの少なくとも１つに基づいて前記複数の端末のうちから前記特定端末を選択することを特徴とする請求項１４に記載の制御装置。
【請求項１８】
前記リソース決定部は、前記複数の端末の分布、又は前記複数の端末の使用もしくは要求されるリソース量に基づいて前記複数の各フェムト基地局のための無線リソース、及び前記共有無線リソースを決定することを特徴とする請求項１４に記載の制御装置。
【請求項１９】
前記ダウンリンク共有ゾーンにおいて、前記複数のフェムト基地局は、送信電力制御又は干渉制御を用いてダウンリンク通信を行うことを特徴とする請求項１４に記載の制御装置。
【請求項２０】
ダウンリンクサブフレームを有する送信フレームを用いて少なくとも一つの端末と通信するフェムト基地局であって、
前記ダウンリンクサブフレームは、
複数のフェムト基地局のうちの第１フェムト基地局にのみ割り当てられて該第１フェムト基地局が複数の端末のうちの少なくとも１つの第１端末とダウンリンク通信を行うときに用いられる第１区間、及び前記複数のフェムト基地局のうちの第２フェムト基地局にのみ割り当てられて該第２フェムト基地局が前記複数の端末のうちの少なくとも１つの第２端末とダウンリンク通信を行うときに用いられる第２区間を含むダウンリンク調整ゾーンと、
前記複数のフェムト基地局が共有無線リソースを用いて前記複数の端末のうちの特定端末とダウンリンク通信を行うダウンリンク共有ゾーンと、を含み、
前記ダウンリンク調整ゾーンで用いられる無線リソースに関する情報、及び前記ダウンリンク共有ゾーンで用いられる前記共有無線リソースに関する情報を受信する情報受信部と、
前記ダウンリンク調整ゾーンで用いられる無線リソースに関する情報、及び前記ダウンリンク共有ゾーンで用いられる前記共有無線リソースに関する情報に基づいてリソース割当情報を生成する情報生成部と、
前記少なくとも１つの端末に前記リソース割当情報を送信する情報送信部と、を有することを特徴とするフェムト基地局。
【請求項２１】
前記情報生成部は、前記ダウンリンク共有ゾーンで適用される送信電力制御及び干渉制御に関する情報のうちの少なくとも１つを含む前記リソース割当情報を生成することを特徴とする請求項２０に記載のフェムト基地局。
【請求項２２】
前記情報送信部は、前記リソース割当情報に基づいて、前記ダウンリンク調整ゾーン又は前記ダウンリンク共有ゾーンでダウンリンク通信を行う前記少なくとも１つの端末に前記リソース割当情報を送信することを特徴とする請求項２０に記載のフェムト基地局。
【請求項２３】
前記特定端末は、前記複数の端末の干渉チャネルの状態、前記複数の端末の分布、前記複数の端末の移動性、及び前記複数の端末の使用もしくは要求されるリソース量のうちの少なくとも１つに基づいて前記複数の端末のうちから選択されることを特徴とする請求項２０に記載のフェムト基地局。
【請求項２４】
送信フレームによって通信を行う通信装置であって、
前記送信フレームのダウンリンクサブフレームは、複数のフェムト基地局が複数の端末のうちの少なくとも１つの端末とダウンリンク通信を行うダウンリンク調整ゾーンと、
前記複数のフェムト基地局が共有無線リソースを用いて前記複数の端末のうちの特定端末とダウンリンク通信を行うダウンリンク共有ゾーンと、を含み、
前記ダウンリンク調整ゾーンは、
前記複数のフェムト基地局のうちの第１フェムト基地局にのみ割り当てられて該第１フェムト基地局が前記複数の端末のうちの少なくとも１つの第１端末とダウンリンク通信を行うときに用いられる第１区間と、
前記複数のフェムト基地局のうちの第２フェムト基地局にのみ割り当てられて該第２フェムト基地局が前記複数の端末のうちの少なくとも１つの第２端末とダウンリンク通信を行うときに用いられる第２区間と、を含み、
前記複数のフェムト基地局は、無線リソースを直交的に用いてダウンリンク通信を行うことを特徴とする通信装置。
【請求項２５】
１つ以上の前記特定端末は、固定端末であることを特徴とする請求項２４に記載の通信装置。
【請求項２６】
前記複数のフェムト基地局は、送信電力制御、干渉制御技術、又は多重アンテナ送信技術によって前記共有無線リソースを用い、前記特定端末に対してダウンリンク通信を同時に行うことを特徴とする請求項２４に記載の通信装置。
【請求項２７】
前記複数のフェムト基地局は、隣のマクロセルの分布チャネルリソースと同一の分布チャネルリソースを用いることを特徴とする請求項２４に記載の通信装置。
【請求項２８】
前記複数のフェムト基地局は、隣のマクロセルの周波数リソースと同一の周波数リソースを用いることを特徴とする請求項２７に記載の通信装置。
【請求項２９】
前記無線リソースは、周波数リソース、時間リソース、空間リソース、及びコードリソース、並びに複数のリソース区間に分割された該無線リソースに該当する第１区間及び第２区間のうちの１つであることを特徴とする請求項２４に記載の通信装置。
【請求項３０】
前記通信装置は、中継機、前記複数の端末のうちのいずれか１つの端末、及び前記複数のフェムト基地局のうちのいずれか１つのフェムト基地局のうちの１つであることを特徴とする請求項２４に記載の通信装置。
【発明の詳細な説明】
【技術分野】
【０００１】
本発明は、複数のフェムト基地局を含む通信システムに関し、より詳細には、複数のフェムト基地局を含む通信システムのための送信フレーム及びリソース割当方法に関する。
【背景技術】
【０００２】
ネットワークの容量を向上させるために複数のフェムト基地局を追加して運用することができる。フェムト基地局の運用形態は、大きく２種類に分類される。第１に、フェムト基地局が周辺マクロセルの周波数リソースと同一の周波数リソースを用いる形態があり、第２に、フェムト基地局が周辺マクロセルの周波数リソースと異なる周波数リソースを用いる形態がある。
【０００３】
フェムト基地局が周辺マクロセルの周波数リソースと同一の周波数リソースを用いる場合、周波数効率は増加し得るが、フェムト基地局とマクロセルとの間で干渉が生じる可能性がある。一方、フェムト基地局が周辺マクロセルの周波数リソースと異なる周波数リソースを用いる場合、干渉問題は殆ど発生しないが、周波数効率性が減少する可能性がある。例えば、１ｋｂｙｔｅのデータを送／受信するのに１０ＭＨｚの代りに１ＭＨｚを要するのであれば、それは周波数効率の増加と見なすことができる。
【０００４】
また、フェムト基地局は、特定領域内に密集して設けられることがある。例えば、１つのビル内で複数のフェムト基地局が設けられることがあり、このような場合、フェムト基地局の間に干渉が増加する可能性がある。特に、１つのビル内に設置された全てのフェムト基地局が同一の周波数リソースを用いる場合、フェムト基地局間の干渉問題を解決しなければならない。
【発明の概要】
【発明が解決しようとする課題】
【０００５】
本発明は、上記従来の問題点に鑑みてなされたものであって、本発明の目的は、ビル内等の制限された特定領域内に設けられた複数のフェムト基地局間の干渉を減少させた通信システムの通信装置、制御装置、及びフェムト基地局を提供することにある。
【課題を解決するための手段】
【０００６】
上記目的を達成するためになされた本発明の一態様による通信装置は、送信フレームによって通信する通信装置であって、前記送信フレームのダウンリンクサブフレームは、複数のフェムト基地局のうちの第１フェムト基地局にのみ割り当てられて該第１フェムト基地局が複数の端末のうちの少なくとも１つの第１端末とダウンリンク通信を行うときに用いられる第１区間、及び前記複数のフェムト基地局のうちの第２フェムト基地局にのみ割り当てられて該第２フェムト基地局が前記複数の端末のうちの少なくとも１つの第２端末とダウンリンク通信を行うときに用いられる第２区間を含むダウンリンク調整（ｃｏｏｒｄｉｎａｔｉｏｎ）ゾーンと、前記複数のフェムト基地局が共有無線リソースを用いて前記複数の端末のうちの特定端末とダウンリンク通信を行うダウンリンク共有（ｓｈａｒｅｄ）ゾーンとを含む。
【０００７】
前記特定端末は、同時にダウンリンク通信を行うことができるか否かによって、前記複数の端末のうちから選択される。
前記特定端末は、前記複数の端末の干渉チャネルの状態、前記複数の端末の分布、前記複数の端末の移動性、及び前記複数の端末の使用（ｕｓｅｄ）もしくは要求される（ｒｅｑｕｉｒｅｄ）リソース量のうちの少なくとも１つに基づいて前記複数の端末のうちから選択される。
前記ダウンリンク調整ゾーンのための無線リソース及び前記ダウンリンク共有ゾーンのための共有無線リソースは、前記複数の端末の分布、又は前記複数の端末の使用もしくは要求されるリソース量に基づいて決定される。
前記ダウンリンク調整ゾーンで前記ダウンリンク通信を行う少なくとも１つの端末は、前記複数の端末のうちの前記特定端末を除く少なくとも１つの残りの端末である。
前記ダウンリンク調整ゾーンにおいて、前記複数のフェムト基地局は、無線リソースを直交的に（ｏｒｔｈｏｇｏｎａｌｌｙ）用いてダウンリンク通信を行う。
前記ダウンリンク調整ゾーンのための無線リソース及び前記ダウンリンク共有ゾーンのための共有無線リソースは、前記複数のフェムト基地局を管理する制御装置によって決定される。
前記特定端末は、前記複数のフェムト基地局を管理する制御装置によって選択される。
前記ダウンリンク共有ゾーンにおいて、前記複数のフェムト基地局は、送信電力制御又は干渉制御によって共有無線リソースを用いてダウンリンク通信を行う。
前記ダウンリンク共有ゾーンにおいて、前記複数のフェムト基地局は、多重アンテナ送信技術を用いてダウンリンク通信を行う。
前記複数の各フェムト基地局は、前記ダウンリンク調整ゾーンで用いられる無線リソースに関する情報、前記ダウンリンク共有ゾーンで用いられる共有無線リソースに関する情報、及び前記ダウンリンク共有ゾーンで適用される送信電力制御又は干渉制御に関する情報のうちの少なくとも１つを前記複数の端末に送信する。
前記送信フレームのアップリンクサブフレームは、前記第１フェムト基地局にのみ割り当てられて該第１フェムト基地局が前記少なくとも１つの第１端末とアップリンク通信を行うときに用いられる第３区間、及び前記第２フェムト基地局にのみ割り当てられて該第２フェムト基地局が前記少なくとも１つの第２端末とアップリンク通信を行うときに用いられる第４区間を含むアップリンク調整ゾーンと、前記複数のフェムト基地局が共有無線リソースを用いて前記複数の端末のうちの特定端末とアップリンク通信を行うアップリンク共有ゾーンと、を含む。
前記複数のフェムト基地局は、同一周波数リソースを用いる。
【０００８】
上記目的を達成するためになされた本発明の一態様による制御装置は、複数のフェムト基地局と複数の端末との間の通信に用いる制御装置であって、前記通信はダウンリンク調整ゾーン及びダウンリンク共有ゾーンを含むダウンリンクサブフレームを有する送信フレームを用いて行われ、同時にダウンリンク通信を行うことができるか否かによって、複数の端末のうちの特定端末を選択する端末選択部と、前記ダウンリンク調整ゾーンで用いられる複数の各フェムト基地局のための無線リソース、及び前記ダウンリンク共有ゾーンで用いられる共有無線リソースを決定するリソース決定部と、を有し、前記ダウンリンク調整ゾーンは、前記複数のフェムト基地局のうちの第１フェムト基地局にのみ割り当てられて該第１フェムト基地局が前記複数の端末のうちの少なくとも１つの第１端末とダウンリンク通信を行うときに用いられる第１区間、及び前記複数のフェムト基地局のうちの第２フェムト基地局にのみ割り当てられて該第２フェムト基地局が前記複数の端末のうちの少なくとも１つの第２端末とダウンリンク通信を行うときに用いられる第２区間を含み、前記ダウンリンク共有ゾーンは、前記複数のフェムト基地局が前記共有無線リソースを用いて前記複数の端末のうちの前記特定端末とダウンリンク通信を行う。
【０００９】
制御装置は、前記ダウンリンク調整ゾーンで用いられる前記複数の各フェムト基地局のための無線リソース、及び前記共有無線リソースに基づいて前記ダウンリンクサブフレームを設定するフレーム設定部を更に有する。
制御装置は、前記複数のフェムト基地局に提供される前記設定されたダウンリンクサブフレームに関する情報を生成する情報生成部を更に有し、前記設定されたダウンリンクサブフレームに関する情報は、前記ダウンリンク調整ゾーンの区間情報、前記ダウンリンク共有ゾーンの区間情報、前記少なくとも１つの端末に割り当てられた無線リソースに関する情報、前記共有無線リソースから前記特定端末に割り当てられた無線リソースに関する情報、及び前記特定端末に適用される送信電力制御又は干渉制御に関する情報のうちの少なくとも１つを含む。
前記端末選択部は、前記複数の端末の干渉チャネルの状態、前記複数の端末の分布、前記複数の端末の移動性、及び前記複数の端末の使用もしくは要求されるリソース量のうちの少なくとも１つに基づいて前記複数の端末のうちから前記特定端末を選択する。
前記リソース決定部は、前記複数の端末の分布、又は前記複数の端末の使用もしくは要求されるリソース量に基づいて前記複数の各フェムト基地局のための無線リソース、及び前記共有無線リソースを決定する。
前記ダウンリンク共有ゾーンにおいて、前記複数のフェムト基地局は、送信電力制御又は干渉制御を用いてダウンリンク通信を行う。
【００１０】
上記目的を達成するためになされた本発明の一態様によるフェムト基地局は、ダウンリンクサブフレームを有する送信フレームを用いて少なくとも一つの端末と通信するフェムト基地局であって、前記ダウンリンクサブフレームは、複数のフェムト基地局のうちの第１フェムト基地局にのみ割り当てられて該第１フェムト基地局が複数の端末のうちの少なくとも１つの第１端末とダウンリンク通信を行うときに用いられる第１区間、及び前記複数のフェムト基地局のうちの第２フェムト基地局にのみ割り当てられて該第２フェムト基地局が前記複数の端末のうちの少なくとも１つの第２端末とダウンリンク通信を行うときに用いられる第２区間を含むダウンリンク調整ゾーンと、前記複数のフェムト基地局が共有無線リソースを用いて前記複数の端末のうちの特定端末とダウンリンク通信を行うダウンリンク共有ゾーンと、を含み、前記フェムト基地局は、前記ダウンリンク調整ゾーンで用いられる無線リソースに関する情報、及び前記ダウンリンク共有ゾーンで用いられる前記共有無線リソースに関する情報を受信する情報受信部と、前記ダウンリンク調整ゾーンで用いられる無線リソースに関する情報、及び前記ダウンリンク共有ゾーンで用いられる前記共有無線リソースに関する情報に基づいてリソース割当情報を生成する情報生成部と、前記少なくとも１つの端末に前記リソース割当情報を送信する情報送信部と、を有する。
【００１１】
前記情報生成部は、前記ダウンリンク共有ゾーンで適用される送信電力制御及び干渉制御に関する情報のうちの少なくとも１つを含む前記リソース割当情報を生成する。
前記情報送信部は、前記リソース割当情報に基づいて、前記ダウンリンク調整ゾーン又は前記ダウンリンク共有ゾーンでダウンリンク通信を行う前記少なくとも１つの端末に前記リソース割当情報を送信する。
前記特定端末は、前記複数の端末の干渉チャネルの状態、前記複数の端末の分布、前記複数の端末の移動性、及び前記複数の端末の使用もしくは要求されるリソース量のうちの少なくとも１つに基づいて前記複数の端末のうちから選択される。
【００１４】
上記目的を達成するためになされた本発明の他の態様による通信装置は、送信フレームによって通信を行う通信装置であって、前記送信フレームのダウンリンクサブフレームは、複数のフェムト基地局が複数の端末のうちの少なくとも１つの端末とダウンリンク通信を行うダウンリンク調整ゾーンと、前記複数のフェムト基地局が共有無線リソースを用いて前記複数の端末のうちの特定端末とダウンリンク通信を行うダウンリンク共有ゾーンと、を含み、前記ダウンリンク調整ゾーンは、前記複数のフェムト基地局のうちの第１フェムト基地局にのみ割り当てられて該第１フェムト基地局が前記複数の端末のうちの少なくとも１つの第１端末とダウンリンク通信を行うときに用いられる第１区間と、前記複数のフェムト基地局のうちの第２フェムト基地局にのみ割り当てられて該第２フェムト基地局が前記複数の端末のうちの少なくとも１つの第２端末とダウンリンク通信を行うときに用いられる第２区間と、を含み、前記複数のフェムト基地局は、無線リソースを直交的に用いてダウンリンク通信を行う。
【００１５】
１つ以上の前記特定端末は、固定端末である。
前記複数のフェムト基地局は、送信電力制御、干渉制御技術、又は多重アンテナ送信技術によって前記共有無線リソースを用い、前記特定端末に対してダウンリンク通信を同時に行う。
前記複数のフェムト基地局は、隣のマクロセルの分布（ｄｉｓｔｒｉｂｕｔｉｏｎ）チャネルリソースと同一の分布チャネルリソースを用いる。
前記複数のフェムト基地局は、隣のマクロセルの周波数リソースと同一の周波数リソースを用いる。
前記無線リソースは、周波数リソース、時間リソース、空間リソース、及びコードリソース、並びに複数のリソース区間に分割された該無線リソースに該当する第１区間及び第２区間のうちの１つである。
前記通信装置は、中継機、前記複数の端末のうちのいずれか１つの端末、及び前記複数のフェムト基地局のうちのいずれか１つのフェムト基地局のうちの１つである。
【発明の効果】
【００１６】
本発明の送信フレームは、ダウンリンク調整ゾーン及びダウンリンク共有ゾーンを含むことによって、フェムト基地局間の干渉を減らしながらも周波数効率を向上させることができる。
【図面の簡単な説明】
【００１７】
【図１】本発明の一実施形態による特定領域内に設置された複数のフェムト基地局を示す図である。
【図２】本発明の一実施形態によるダウンリンクサブフレーム及びアップリンクサブフレームを含む送信フレームを示す図である。
【図３】本発明の一実施形態による特定領域内に設置された複数のフェムト基地局及び複数のフェムト基地局周辺の複数の端末を示す図である。
【図４】本発明の一実施形態による制御装置、フェムト基地局、及び端末の動作方法を示すフローチャートである。
【図５】本発明の一実施形態による送信フレームに基づくフェムト基地局１及びフェムト基地局２の一例を示す図である。
【図６】本発明の一実施形態による制御装置を示すブロック図である。
【図７】本発明の一実施形態によるフェムト基地局を示すブロック図である。
【発明を実施するための形態】
【００１８】
以下、本発明を実施するための形態の具体例を、図面を参照しながら詳細に説明する。
【００１９】
図１は、本発明の一実施形態による特定領域内に設置された複数のフェムト基地局を示す図である。
【００２０】
図１を参照すると、ビルなどの特定領域１３０内には、複数のフェムト基地局が設置されており、フェムト基地局は、ＰＩＣＯ  ＡＣＲ（Ａｃｃｅｓｓ  Ｃｏｎｔｒｏｌ  Ｒｏｕｔｅｒ）等のような制御装置１２０によって制御及び管理される。そして、フェムト基地局は、制御装置１２０を介してインターネット１１０と接続される。この時、制御装置１２０は、フェムト基地局に対するＩＰ（Ｉｎｔｅｒｎｅｔ  Ｐｒｏｔｏｃｏｌ）ルーティング機能、フェムト基地局間の移動性管理（特に、ハンドオーバ）機能、時間同期化機能などのさまざまな機能を遂行する。制御装置１２０は、独立した装置として提供されるか、或いはフェムト基地局の一部として提供され得る。
【００２１】
複数のフェムト基地局が周辺のマクロセル（図示せず）の周波数リソースと同一の周波数リソースを用いると仮定する。この時、フェムト基地局の間で発生する干渉を減らすためには、時間リソース、空間リソース、又はコードリソースなどの無線リソースをフェムト基地局に適切に割り当てなければならない。即ち、フェムト基地局が同一の周波数リソースを用いてもフェムト基地局間の干渉を回避することができるように、時間リソース、空間リソース、又はコードリソースをフェムト基地局に割り当てたり、送信電力制御又は干渉制御を適切に行ったりしなければならない。
【００２２】
また、特定領域１３０内の端末（図示せず）の分布、移動性、使用もしくは要求されるリソース量は、多様であり得るため、実際に各フェムト基地局に要求される端末のリソース量は、各々異なり得る。この時、各フェムト基地局に同一の量の無線リソースを割り当てることは、無線リソースを非効率的に用いることにもなり得る。従って、無線リソースの使用効率を上げるために、端末の分布、移動性、使用もしくは要求されるリソース量などを考慮して適切な量の無線リソースをフェムト基地局に割り当てる必要がある。
【００２３】
図２は、本発明の一実施形態によるダウンリンクサブフレーム及びアップリンクサブフレームを含む送信フレームを示す図である。
【００２４】
送信フレームは、フェムト基地局、端末、及び中継機を始めとする様々な通信装置に適用することができる。
【００２５】
図２を参照すると、ダウンリンクサブフレーム２１０の前には、ネットワーク情報及び送信フレームに関する情報のフレーム情報が追加される。ネットワーク情報及びフレーム情報は、ダウンリンク通信及びアップリンク通信が始まる前に複数の各フェムト基地局から複数の端末にブロードキャストされる。
【００２６】
ダウンリンクサブフレーム２１０は、ダウンリンク調整ゾーン及びダウンリンク共有ゾーンを含む。
【００２７】
ダウンリンクサブフレーム２１０のダウンリンク調整ゾーンにおいて、複数のフェムト基地局は、マクロセルで用いられる無線リソース内で異なる無線リソースを用いて複数の端末のうちの少なくとも１つの端末とダウンリンク通信を行う。この時、複数の各フェムト基地局は、周波数リソース、時間リソース、空間リソース、又はコードリソースなどを直交的に用いることによって、複数のフェムト基地局の間で発生する干渉を回避することができる。
【００２８】
ダウンリンク調整ゾーンに対して複数のフェムト基地局を管理する図１に示した制御装置１２０は、複数のフェムト基地局間の干渉を回避するために複数のフェムト基地局及び複数の端末に適切に無線リソースを割り当てる。例えば、制御装置は、複数のフェムト基地局が直交的に時間リソースを用いることができるようにダウンリンク調整ゾーンを複数の時間区間に分けることによって、ダウンリンク調整ゾーンを調整（ｃｏｏｒｄｉｎａｔｅ）してもよい。
【００２９】
より具体的に、フェムト基地局１及びフェムト基地局１に接続された（ａｃｃｅｓｓｅｄ）少なくとも１つの端末には、ダウンリンク調整ゾーンの最初の区間のＤＬ＿Ｃｏｏｒｄ．（１）が割り当てられ、フェムト基地局２及びフェムト基地局２に接続された少なくとも１つの端末には、ダウンリンク調整ゾーンの２番目の区間のＤＬ＿Ｃｏｏｒｄ．（２）が割り当てられ、フェムト基地局Ｎ及びフェムト基地局Ｎに接続された少なくとも１つの端末には、ダウンリンク調整ゾーンのＮ番目の区間のＤＬ＿Ｃｏｏｒｄ．（Ｎ）が割り当てられる。そして、割り当てられた区間に関する情報は、ＭＡＰ（ｉ）として各フェムト基地局から複数の端末にブロードキャストされる。ここで、ｉはフェムト基地局のインデックスを示す。
【００３０】
また、ダウンリンクサブフレーム２１０のダウンリンク共有ゾーンにおいて、複数のフェムト基地局は、複数の端末のうちから選択された特定端末と同一の無線リソース（以下、「共有無線リソース」ともいう）を用いて同時に（ｓｉｍｕｌｔａｎｅｏｕｓｌｙ）ダウンリンク通信を行う。例えば、ダウンリンク共有ゾーンにおいて、複数のフェムト基地局は、セル間（ｉｎｔｅｒ−ｃｅｌｌ）の干渉を減らすために、干渉制御又は送信電力制御、多重アンテナ送信技術などのような多様な信号処理方式を用いて複数の端末のうちの一部の特定端末と同時にダウンリンク通信を行ってもよい。
【００３１】
この時、特定端末は、同時にダウンリンク通信を行うことができるか否かによって、複数のフェムト基地局を管理する制御装置によって複数の端末のうちから選択されてもよい。例えば、制御装置は、同時にダウンリンク通信を行うことのできる端末を特定端末として選択することによって周波数効率を上げ、セル間の干渉を減らすことができる。
【００３２】
例えば、制御装置は、端末の干渉チャネルの状態、端末の分布、端末の移動性、又は複数の端末の使用もしくは要求されるリソース量などを総合的に考慮して、ダウンリンク共有ゾーンのための特定端末を選択してもよい。
【００３３】
制御装置は、主に停止している端末を特定端末として選択してもよく、相対的に小さい要求リソース量を有する端末を特定端末として選択してもよい。それだけでなく、制御装置は、端末の干渉チャネルの状態に基づいて干渉制御又は送信電力制御を上手く適用することができるか否かを判断することによって、特定端末を選択してもよい。そして、制御装置は、相対的に互いに遠く離れている端末を特定端末として選択してもよい。上述した例以外にも、制御装置は多様なファクターを総合的に考慮して複数の端末のうちから特定端末を選択してもよい。
【００３４】
図２を再び参照すると、アップリンクサブフレーム２２０は、アップリンク調整ゾーンと、アップリンク共有ゾーンと、ランダムアクセスゾーン（ｒａｎｄｏｍ  ａｃｃｅｓｓ  ｚｏｎｅ）とを含む。
【００３５】
アップリンクサブフレーム２２０のアップリンク調整ゾーンは、多様な方式によって調整することができ、図２示すアップリンクサブフレーム２２０は多様な方式のうちの１つの例である。アップリンクサブフレーム２２０において、アップリンク調整ゾーンに含まれるＮ個の区間のそれぞれは、Ｎ個の各フェムト基地局に割り当てることができる。例えば、アップリンク調整ゾーンの最初の区間のＵＬ＿Ｃｏｏｒｄ．（１）において、フェムト基地局１及び少なくとも１つの端末は、アップリンク通信を行い、アップリンク調整ゾーンのＮ番目の区間のＵＬ＿Ｃｏｏｒｄ．（Ｎ）で、フェムト基地局Ｎ及び少なくとも１つの端末は、アップリンク通信を行う。そして、ランダムアクセスゾーンで、複数の端末は任意に複数のフェムト基地局に接続してアップリンク通信を行う。
【００３６】
フェムト基地局及び端末は、アップリンクサブフレーム２２０及びダウンリンクサブフレーム２１０のそれぞれにおいて、略似たように動作するため、アップリンクサブフレーム２２０に対する詳細な説明は省略する。
【００３７】
図３は、本発明の一実施形態による特定領域内に設置された複数のフェムト基地局及び複数のフェムト基地局周辺の複数の端末を示す図である。
【００３８】
図３を参照すると、制御装置３１０は特定領域３２０内に設置されたフェムト基地局を制御及び管理する。
【００３９】
フェムト基地局１〜４（３３１〜３３４）の周辺には、複数の端末（ＭＳ１〜７）が存在する。この時、複数の端末の干渉チャネルの状態、移動性、分布、又は使用もしくは要求されるリソース量は、リアルタイムで変化することがあり、制御装置３１０は、複数の端末の干渉チャネルの状態、移動性、分布、又は使用もしくは要求されるリソース量などに基づいて特定端末を選択する。ここで、特定端末は、ダウンリンク共有ゾーン又はアップリンク共有ゾーンで同時にフェムト基地局とダウンリンク通信又はアップリンク通信を行う端末をいう。
【００４０】
例えば、端末ＭＳ１、６、４、７が特定端末として選択されたと仮定する。ここで、端末ＭＳ１、ＭＳ６、ＭＳ４、ＭＳ７のサービス基地局は、それぞれフェムト基地局１、２、３、４である。この時、フェムト基地局１、２、３、４は、ダウンリンク共有ゾーン又はアップリンク共有ゾーンで、干渉制御、送信電力制御、多重アンテナ送信技術を用いて、端末ＭＳ１、ＭＳ６、ＭＳ４、ＭＳ７と同時にダウンリンク通信又はアップリンク通信を行う。一方、残りの端末ＭＳ２、３、５は、ダウンリンク調整ゾーン又はアップリンク調整ゾーンでフェムト基地局１〜４によってサービスされる。
【００４１】
図４は、本発明の一実施形態による制御装置、フェムト基地局、及び端末の動作方法を示すフローチャートである。
【００４２】
図４を参照すると、端末は、対応するフェムト基地局に接続を要請する（４１１）。各フェムト基地局は、接続要請を受けた端末に端末情報を要請し（４１２）、各端末は、端末情報を対応する各フェムト基地局に送信する（４１３）。ここで、端末情報は、端末の移動性、使用もしくは要求されるリソース量などに関する情報を含む。
【００４３】
各フェムト基地局は、フェムト基地局を管理する制御装置に端末情報を伝達する（４１４）。そして、制御装置は、端末の干渉チャネルに対する情報をフェムト基地局に要請する（４１５）。この時、フェムト基地局は、端末のアップリンクチャネルを推定するためにサウンディング（ｓｏｕｎｄｉｎｇ）パケットの送信を端末に命令する（４１６）。ここで、アップリンクチャネルは、信号チャネル及び干渉チャネルを含む。そして、端末は、この命令に応答してサウンディングパケットをフェムト基地局に送信する（４１７）。結果、フェムト基地局は、サウンディングパケットを用いてアップリンクチャネルを推定する（４１８）。また、フェムト基地局は、推定されたアップリンクチャネルに対する情報を制御装置に伝達する（４１９）。
【００４４】
図４に示していないが、ＴＤＤ（Ｔｉｍｅ  Ｄｉｖｉｓｉｏｎ  Ｄｕｐｌｅｘ）システムにおいて、アップリンクチャネルは、ダウンリンクチャネルと略同一なものと見なすことができる。従って、ＴＤＤシステムで、フェムト基地局はアップリンクチャネルに基づいてダウンリンクチャネルを把握することができる。但し、ＦＤＤ（Ｆｒｅｑｕｅｎｃｙ  Ｄｉｖｉｓｉｏｎ  Ｄｕｐｌｅｘ）システムにおいて、ダウンリンクチャネルとアップリンクチャネルは、同一なものと見なすことができない。この時、端末は、パイロット信号を用いてダウンリンクチャネルを推定し、推定されたダウンリンクチャネルに対する情報をフェムト基地局にフィードバックしてもよい。
【００４５】
図４を再び参照すると、制御装置は、端末のダウンリンクチャネルに対する情報及びアップリンクチャネルに対する情報を収集する（４２０）。結果、制御装置は、端末のダウンリンクチャネルに対する情報及びアップリンクチャネルに対する情報に加えて、端末情報を把握することができる。この時、端末のダウンリンクチャネルに対する情報、アップリンクチャネルに対する情報、及び端末情報は、周期的又は非周期的にアップデートされてもよい。
【００４６】
制御装置は、端末の干渉チャネルに対する情報及び端末情報に基づいて複数の端末のうちの特定端末又は特定端末の集合Ｇを選択する（４２１）。
【００４７】
ここで、特定端末は、ダウンリンク共有ゾーン又はアップリンク共有ゾーンで共有無線リソースを用いて同時にフェムト基地局とダウンリンク通信又はアップリンク通信を行う端末をいう。他の表現として、特定端末は、ダウンリンク共有ゾーン又はアップリンク共有ゾーンで共有無線リソースを用いて同時にデータを送信又は受信する端末をいう。ここで、フェムト基地局は、ダウンリンク共有ゾーン又はアップリンク共有ゾーンで、干渉制御、送信電力制御、又は多重アンテナ送信技術などを用いることによって、セル間の干渉を減少して、周波数効率を高めることができる。
【００４８】
制御装置は、ダウンリンク共有ゾーン又はアップリンク共有ゾーンで特定端末のための共有無線リソースＲｓｈａｒｅｄと、ダウンリンク調整ゾーン又はアップリンク調整ゾーンで端末のための無線リソースＲｃｏｏｒｄ．（ｉ）を決定する（４２２）。ここで、ダウンリンク調整ゾーン又はアップリンク調整ゾーンで活性化する端末は、複数の端末のうちの特定端末を除く残りの端末であってもよい。そして、ｉはフェムト基地局のインデックスを意味する。この時、共有無線リソースＲｓｈａｒｅｄ及び無線リソースＲｃｏｏｒｄ．（ｉ）は、時間リソース、空間リソース、コードリソースなどを含み、主に時間リソースを意味する。例えば、制御装置は、端末の分布又は使用もしくは要求されるリソース量を考慮して共有無線リソースＲｓｈａｒｅｄ及び無線リソースＲｃｏｏｒｄ．（ｉ）を決定してもよい。
【００４９】
制御装置は、共有無線リソースＲｓｈａｒｅｄ及び無線リソースＲｃｏｏｒｄ．（ｉ）に基づいて送信フレームワーク（ｆｒａｍｅｗｏｒｋ）を設定する（４２３）。この時、送信フレームの調整ゾーン（即ち、ダウンリンク調整ゾーン及びアップリンク調整ゾーン）、及び送信フレームの共有ゾーン（即ち、ダウンリンク共有ゾーン及びアップリンク共有ゾーン）は、共有無線リソースＲｓｈａｒｅｄ及び無線リソースＲｃｏｏｒｄ．（ｉ）によって可変的に調節される。
【００５０】
制御装置は、設定された送信フレームに関する情報をフェムト基地局に伝達する（４２４）。ここで、送信フレームに関する情報は、ダウンリンクサブフレームに関する情報及びアップリンクサブフレームに関する情報を含んでもよい。ダウンリンクサブフレームに関する情報は、ダウンリンク調整ゾーンの区間情報、ダウンリンク共有ゾーンの区間情報、ダウンリンク調整ゾーンのために割り当てられた無線リソースに関する情報、共有無線リソースから特定端末に割り当てられた無線リソースに関する情報、及び特定端末に適用される送信電力制御又は干渉制御に関する情報などを含んでもよい。同じように、アップリンクサブフレームに関する情報は、アップリンク調整ゾーンの区間情報、アップリンク共有ゾーンの区間情報、アップリンク調整ゾーンのために割り当てられた無線リソースに関する情報、共有無線リソースから特定端末に割り当てられた無線リソースに関する情報、及び特定端末に適用される送信電力制御又は干渉制御に関する情報などを含んでもよい。
【００５１】
各フェムト基地局は、制御装置から受信された情報に基づいてリソース割当情報ＭＡＰ（ｉ）を作成する（４２５）。この時、リソース割当情報ＭＡＰ（ｉ）は、上述したダウンリンクサブフレームに関する情報及びアップリンクサブフレームに関する情報を含んでもよい。
【００５２】
各フェムト基地局は、作成されたリソース割当情報ＭＡＰ（ｉ）を複数の端末に送信する（４２６）。この時、複数の各端末は、リソース割当情報ＭＡＰ（ｉ）に基づいてそれぞれが特定端末であるか否かを把握することができ、それぞれの端末に割り当てられた無線リソースを把握することができる。
【００５３】
最後に、図４に示していないが、フェムト基地局及び複数の端末は、制御装置によって設定された送信フレームによってアップリンク通信又はダウンリンク通信を行う。
【００５４】
図５は、本発明の一実施形態による送信フレームに基づくフェムト基地局１及びフェムト基地局２の一例を示す図である。
【００５５】
図５は、フェムト基地局１のダウンリンクサブフレーム５１０及びアップリンクサブフレーム５２０と、フェムト基地局２のダウンリンクサブフレーム５３０及びアップリンクサブフレーム５４０を示す。フェムト基地局１及びフェムト基地局１に接続された端末は、ダウンリンクサブフレーム５１０及びアップリンクサブフレーム５２０によってダウンリンク通信及びアップリンク通信を行い、フェムト基地局２及びフェムト基地局２に接続された端末は、ダウンリンクサブフレーム５３０及びアップリンクサブフレーム５４０によってダウンリンク通信及びアップリンク通信を行う。
【００５６】
フェムト基地局１及びフェムト基地局１に接続された端末は、ダウンリンクサブフレーム５１０及びアップリンクサブフレーム５２０の斜線（ｇｒａｙ  ｓｈａｄｅｄ）領域で、データを送受信する。より具体的に、フェムト基地局１は、ネットワーク情報及びフレーム情報を送信する。そして、フェムト基地局１は、ＭＡＰ１を介してダウンリンクサブフレーム５１０に関する情報及びアップリンクサブフレームに関する情報５２０を、フェムト基地局１に接続された端末に伝達する。この時、ＤＬ＿Ｃｏｏｒｄ．（１）において、フェムト基地局１及びフェムト基地局１に接続された端末のうちの特定端末を除く残りの端末は、調整された無線リソースを用いてダウンリンク通信を行う。ＤＬ＿Ｃｏｏｒｄ．（１）が満了すると、フェムト基地局１及びフェムト基地局１に接続された端末は、ダウンリンク通信を中断する。
【００５７】
フェムト基地局１及びフェムト基地局１に接続された端末のうちから選択された特定端末は、共有無線リソースを用いてダウンリンク通信を行う。この時、フェムト基地局１は、干渉制御又は送信電力制御等によって、他のフェムト基地局と、同時にダウンリンク通信を行うことができる。
【００５８】
また、フェムト基地局１及びフェムト基地局１に接続された端末のうちの特定端末を除く残りの端末は、調整された無線リソースを用いてＵＬ＿Ｃｏｏｒｄ．（１）でアップリンク通信を行う。選択的に、端末は、ランダムアクセスゾーンで任意にフェムト基地局１に接続して、アップリンク通信を行う。
【００５９】
フェムト基地局２及びフェムト基地局２に接続された端末もまた、ネットワーク情報及びフレーム情報を送信する。そして、ＤＬ＿Ｃｏｏｒｄ．（１）が満了した後に、フェムト基地局２は、ＭＡＰ２を介してダウンリンクサブフレーム５３０に関する情報及びアップリンクサブフレームに関する情報５４０を、フェムト基地局２に接続された端末に伝達する。この時、ＤＬ＿Ｃｏｏｒｄ．（２）で、フェムト基地局２及びフェムト基地局２に接続された端末のうちの特定端末を除く残りの端末は、調整された無線リソースを用いてダウンリンク通信を行う。ＤＬ＿Ｃｏｏｒｄ．（２）が満了すると、フェムト基地局２及びフェムト基地局２に接続された端末はダウンリンク通信を中断する。
【００６０】
フェムト基地局２及びフェムト基地局２に接続された端末のうちから選択された特定端末は、共有無線リソースを用いてダウンリンク通信を行う。この時、フェムト基地局２は、干渉制御又は送信電力制御等によって、他のフェムト基地局と、同時にダウンリンク通信を行うことができる。
【００６１】
図６は、本発明の一実施形態による制御装置を示すブロック図である。
【００６２】
図６を参照すると、制御装置６００は、情報収集部６１０、端末選択部６２０、リソース決定部６３０、フレーム設定部６４０、及び情報生成部６５０を含む。
【００６３】
情報収集部６１０は、端末のダウンリンクチャネルに対する情報、アップリンクチャネルに対する情報、移動性、使用もしくは要求されるリソース量等の端末に関する１つ以上の情報を収集する。
【００６４】
端末選択部６２０は、収集された情報に基づいて同時にダウンリンク通信を行うことができるか否かによって、複数の端末のうちの特定端末を選択する。この時、端末選択部６２０は、複数の端末の干渉チャネルの状態、複数の端末の分布、複数の端末の移動性、及び複数の端末の使用もしくは要求されるリソース量のうちの少なくとも１つに基づいて特定端末を選択してもよい。
【００６５】
リソース決定部６３０は、ダウンリンク調整ゾーンで用いられる複数の各フェムト基地局のための無線リソース、及びダウンリンク共有ゾーンで用いられる共有無線リソースを決定する。例えば、リソース決定部６３０は、複数の端末の分布又は複数の使用もしくは端末の要求されるリソース量に基づいて、複数の各フェムト基地局のための無線リソース及び共有無線リソースを決定してもよい。
【００６６】
フレーム設定部６４０は、ダウンリンク調整ゾーンで用いられる複数の各フェムト基地局のための無線リソース、及び共有無線リソースに基づいてダウンリンクサブフレームを設定する。
【００６７】
情報生成部６５０は、複数のフェムト基地局に提供される設定されたダウンリンクサブフレームに関する情報を生成する。例えば、設定されたダウンリンクサブフレームに関する情報は、ダウンリンク調整ゾーンの区間情報、ダウンリンク共有ゾーンの区間情報、少なくとも１つの端末に割り当てられた無線リソースに関する情報、共有無線リソースから特定端末に割り当てられた無線リソースに関する情報、及び特定端末のために適用される送信電力制御又は干渉制御に関する情報のうちの少なくとも１つを含む。
【００６８】
図７は、本発明の一実施形態によるフェムト基地局を示すブロック図である。
【００６９】
図７を参照すると、フェムト基地局７００は、情報受信部７１０、情報生成部７２０、及び情報送信部７３０を含む。
【００７０】
情報受信部７１０は、複数のフェムト基地局を管理する制御装置から、ダウンリンク調整ゾーンで用いられる無線リソースに関する情報及びダウンリンク共有ゾーンで用いられる共有無線リソースに関する情報を受信する。
【００７１】
情報生成部７２０は、ダウンリンク調整ゾーンで用いられる無線リソースに関する情報及びダウンリンク共有ゾーンで用いられる共有無線リソースに関する情報に基づいてリソース割当情報を生成する。この時、情報生成部７２０は、ダウンリンク共有ゾーンで適用される送信電力制御又は干渉制御に関する情報のうちの少なくとも１つを含むリソース割当情報を生成してもよい。
【００７２】
情報送信部７３０は、複数の端末にリソース割当情報を送信する。この時、複数の各端末はリソース割当情報に基づいてダウンリンク調整ゾーン又はダウンリンク共有ゾーンでダウンリンク通信を行う。
【００７３】
図６及び図７に示した制御装置６００及びフェムト基地局７００の各ユニットには、図１〜図５によって説明した事項をそのまま適用することができるため、詳細な説明は省略する。
【００７４】
本発明の過程、機能、方法、送信フレーム、リソース割当方法は、多様なコンピュータ手段によって実現することのできるプログラム命令形態によって具現され、コンピュータ読み取り可能な記録媒体に記録することができる。コンピュータ読み取り可能な記録媒体は、プログラム命令、データファイル、データ構造などを単独で又は組み合わせて含むことができる。記録媒体に記録されるプログラム命令は本発明のために特別に設計して構成されたものであるか、コンピュータソフトウェアの当業者に公知な使用可能なものであってもよい。コンピュータ読み取り可能な記録媒体の例としては、ハードディスク、フロッピー（登録商標）ディスク、及び磁気テープのような磁気媒体、ＣＤ−ＲＯＭ、ＤＶＤのような光記録媒体、フロプティカルディスクのような磁気媒体、及びＲＯＭ、ＲＡＭ、フラッシュメモリなどのようなプログラム命令を格納して実行するように特別に構成されたハードウェア装置が含まれる。プログラム命令の例としては、コンパイラによって生成されるような機械語コードだけでなくインタープリタなどを用いてコンピュータによって実行され得る高級言語コードを含む。上記のハードウェア装置は、本発明の動作を行うために１つ以上のソフトウェアモジュールとして作動するように構成することができ、その逆も同様である。
【００７５】
上述したように、本発明を具体的な構成要素などの特定事項と限定される実施形態及び図面によって説明したが、これは本発明のより全般的な理解を助けるために提供したものに過ぎず、本発明は、上記の実施形態に限定されるものではなく、本発明が属する分野で通常の知識を有する者であれば、このような記載から多様な修正及び変形が可能である。従って、本発明の技術思想は上記で説明した実施形態に限定して決定されてはならず、特許請求の範囲だけでなくこの特許請求の範囲と均等又は等価的に変形された全てのものは本発明の思想の範疇に属するといえる。
【符号の説明】
【００７６】
１１０    インターネット
１２０、３１０、６００    制御装置（ＰＩＣＯ  ＡＣＲ）
１３０、３２０    特定領域
２１０    ダウンリンクサブフレーム
２２０    アップリンクサブフレーム
３３１〜３３４    フェムト基地局１〜４
５１０    フェムト基地局１のダウンリンクサブフレーム
５２０    フェムト基地局１のアップリンクサブフレーム
５３０    フェムト基地局２のダウンリンクサブフレーム
５４０    フェムト基地局２のアップリンクサブフレーム
６１０    情報取集部
６２０    端末選択部
６３０    リソース決定部
６４０    フレーム設定部
６５０、７２０    情報生成部
７００    フェムト基地局
７１０    情報受信部
７３０    情報送信部
【図１】
0005678309.tif 000002
【図２】
0005678309.tif 000003
【図３】
0005678309.tif 000004
【図４】
0005678309.tif 000005
【図５】
0005678309.tif 000006
【図６】
0005678309.tif 000007
【図７】
0005678309.tif 000008